(57)【要約】【課題】端末装置を保有する利用者の入出場の管理を容易に行うことができる鉄道利用管理システム、管理装置、およびプログラムを提供することである。【解決手段】実施形態の鉄道利用管理システムは、光学読取部、通過阻止手段制御部、改札機側通信部を有する一以上の自動改札機と、管理装置側通信部、管理装置側制御部を有する管理装置とを持つ。光学読取部は端末装置の表示画像から情報を読み取る。通過阻止手段制御部は、読取情報に基づき通過阻止手段を制御する。改札機側通信部は読取情報に基づく情報を管理装置に送信する。管理装置側通信部は他装置と通信する。管理装置側制御部は、受信した画像要求情報に基づき第１画像の表示情報を端末装置に送信し、自動改札機からの情報に基づき第２画像の表示情報を端末装置に送信する。自動改札機または管理装置は、利用者の通過可否を判定する通過可否判定部を有する。【選択図】図１
2018022448.tif 000002
【特許請求の範囲】
【請求項１】
端末装置により表示された画像から情報を光学的に読み取る光学読取部と、
前記光学読取部により読み取られた情報に基づいて、前記端末装置の利用者の通過を阻止するための通過阻止手段を制御する通過阻止手段制御部と、
前記光学読取部により読み取られた情報に基づく情報を管理装置に送信する改札機側通信部と、
を有する一以上の自動改札機、および、
前記端末装置または前記自動改札機と通信する管理装置側通信部と、
前記端末装置に対する利用者の操作に基づいて生成され、前記管理装置側通信部により前記端末装置から受信された画像要求情報に基づいて、前記端末装置の利用者が駅構内に入場するための第１画像を前記端末装置に表示させるための情報を、前記管理装置側通信部を用いて前記端末装置に送信し、
前記管理装置側通信部により前記自動改札機から受信された情報に基づいて、前記端末装置の利用者が駅構外に出場するための第２画像を前記端末装置に表示させるための情報を、前記管理装置側通信部を用いて前記端末装置に送信する管理装置側制御部と
を有する前記管理装置を備え、
前記自動改札機と前記管理装置のうち少なくとも一方が、前記光学読取部により読み取られた情報に基づいて前記利用者の通過可否を判定する通過可否判定部を有する、
鉄道利用管理システム。
【請求項２】
前記管理装置側制御部は、前記端末装置を乗車券として使用した場合の効力情報がエンコードされた前記第１画像を表示するための情報を、前記管理装置側通信部を用いて前記端末装置に送信し、
前記改札機側通信部は、前記端末装置の利用者が駅構内に入場する場合に、自駅の識別情報を入場駅の識別情報として、前記光学読取部により読み取られた情報に基づく情報と共に、前記管理装置に送信し、
前記管理装置側制御部は、前記管理装置側通信部により前記改札機側通信部から受信された情報に基づいて、前記効力情報と前記入場駅の識別情報がエンコードされた前記第２画像を生成するための情報を、前記管理装置側通信部を用いて前記端末装置に送信し、
前記通過可否判定部は、前記光学読取部により前記第１画像から読み取られた前記効力情報に基づいて前記端末装置の利用者の通過可否を判定し、前記光学読取部により前記第２画像から読み取られた前記効力情報および前記入場駅の識別情報に基づいて前記端末装置の利用者の通過可否を判定する、
請求項１に記載の鉄道利用管理システム。
【請求項３】
前記改札機側通信部は、前記端末装置の利用者が駅構内に入場する場合に、自駅の識別情報を入場駅の識別情報として、前記光学読取部により読み取られた情報に基づく情報と共に、前記管理装置に送信し、
前記管理装置側制御部は、前記管理装置側通信部により前記改札機側通信部から受信された情報に基づいて、前記入場駅の識別情報を含む入場情報をエンコードした前記第２画像を生成するための情報を、前記管理装置側通信部を用いて前記端末装置に送信し、
前記通過可否判定部は、前記端末装置の利用者が駅構内から出場する場合に、前記光学読取部により前記第２画像から読み取られた情報に、前記入場情報が含まれる場合に、前記利用者の通過を許可する、
請求項１に記載の鉄道利用管理システム。
【請求項４】
前記改札機側通信部は、前記自動改札機が入場駅としての処理を行っている場合と出場駅としての処理を行っている場合との双方において、自駅の識別情報を入場駅の識別情報または出場駅の識別情報として、前記光学読取部により読み取られた情報に基づく情報と共に前記管理装置に送信し、
前記管理装置は、
前記管理装置側通信部により、入場駅の前記自動改札機から受信された前記入場駅の識別情報、および出場駅の前記自動改札機から受信された前記出場駅の識別情報に基づいて、前記端末装置の利用者に課金する課金額を決定する決済処理部を更に有する、
請求項１から３のうちいずれか１項に記載の鉄道利用管理システム。
【請求項５】
前記第１画像および前記第２画像には、共通する識別情報がエンコードされており、
前記改札機側通信部は、前記光学読取部により前記第１画像または前記第２画像から読み取られた前記識別情報を、前記管理装置に送信し、
前記決済処理部は、前記管理装置側通信部により受信された識別情報を参照し、前記第１画像から読み取られた前記識別情報に対して前記第２画像から読み取られた同じ識別情報が複数存在する場合に、一対複数の前記識別情報の組み合わせの全てに対して課金を行う、
請求項４に記載の鉄道利用管理システム。
【請求項６】
前記決済処理部は、ある利用者に関し、前記管理装置側通信部により前記改札機側通信部から受信された第２の出場駅の識別情報と、前記第２の出場駅の識別情報に続いて前記管理装置側通信部により前記改札機側通信部から受信された第３の入場駅の識別情報との組み合わせが条件を満たす場合、前記第２の出場駅の識別情報の前に前記管理装置側通信部により前記改札機側通信部から受信された第１の入場駅の識別情報と、前記第３の入場駅の識別情報の後に前記改札機側通信部から受信される第４の出場駅の識別情報とに基づいて、前記端末装置の利用者に課金する課金額を決定する、
請求項４または５に記載の鉄道利用管理システム。
【請求項７】
前記決済処理部は、ある利用者に関し、前記管理装置側通信部により前記改札機側通信部から出場駅の識別情報が受信された時点と、続いて、前記管理装置側通信部により前記改札機側通信部から入場駅の識別情報が受信された時点との関係に基づいて、先に受信された出場駅に関する鉄道利用と、後に受信された入場駅に関する鉄道利用とに対する課金額を軽減する、
請求項４から６のうちいずれか１項に記載の鉄道利用管理システム。
【請求項８】
前記管理装置と通信する端末側通信部と、
利用者の操作を受け付ける受付部と、
前記受付部により受け付けられた操作に基づいて、前記第１画像を表示するための情報を要求する前記画像要求情報を生成し、前記生成した画像要求情報を、前記端末側通信部を用いて前記管理装置に送信する乗車券購入処理部と、
を有する前記端末装置を更に備える、
請求項１から７のうちいずれか１項に記載の鉄道利用管理システム。
【請求項９】
端末装置または自動改札機と通信する管理装置側通信部と、
前記端末装置に対する利用者の操作に基づいて生成され、前記管理装置側通信部により前記端末装置から受信された画像要求情報に基づいて、前記端末装置の利用者が駅構内に入場するための第１画像を前記端末装置に表示させるための情報を、前記管理装置側通信部を用いて前記端末装置に送信し、
前記端末装置に表示された第１画像が前記自動改札機に翳されることに応じて生成され、前記管理装置側通信部により前記自動改札機から受信された情報に基づいて、前記端末装置の利用者が駅構外に出場するための第２画像を前記端末装置に表示させるための情報を、前記管理装置側通信部を用いて前記端末装置に送信する管理装置側制御部と、
を備える管理装置。
【請求項１０】
通信部と表示部を有する端末装置に、
利用者が駅構内に入場するための第１画像を表示するための情報を要求するための入力画面を前記表示部に表示させ、
前記表示部に表示させた入力画面に対する操作に応じて生成される画像要求情報を、前記通信部を用いて管理装置に送信させ、
前記管理装置から、前記画像要求情報に対する応答として前記通信部により受信された、前記第１画像を表示するための情報に基づいて、前記第１画像を前記表示部に表示させ、
前記表示部に第１画像を表示させた後、前記管理装置から受信された、前記利用者が駅構外に出場するための第２画像を表示するための情報に基づいて、前記第２画像を前記表示部に表示させる、
プログラム。
【発明の詳細な説明】
【技術分野】
【０００１】
本発明の実施形態は、鉄道利用管理システム、管理装置、およびプログラムに関する。
【背景技術】
【０００２】
従来、自動改札機を通過するのに必要な各種情報がエンコードされたＱＲコード（登録商標）などの画像を、端末装置の表示画面に表示させたもの、或いは画像が印刷された紙を乗車券として利用する技術が知られている。自動改札機の側では、画像をカメラなどで撮像し、画像解析によって各種情報を読み取って通過可否の判定を行う。この技術においては、乗車券側に改札通過情報を書き込むことが困難であるという課題がある。紙に画像が印刷された券は当然のことながら、一般利用者の利用する端末装置も、自動改札機に対応する近接通信機能を備えているとは限らず、自動改札機と端末装置とで通信が成立する保証が無いからである。このため、従来の技術では、端末装置を保有する利用者の入出場の管理を容易に行うことができない場合があった。
【先行技術文献】
【特許文献】
【０００３】
【特許文献１】特開２０１２−６３８７３号公報
【発明の概要】
【発明が解決しようとする課題】
【０００４】
本発明が解決しようとする課題は、端末装置を保有する利用者の入出場の管理を容易に行うことができる鉄道利用管理システム、管理装置、およびプログラムを提供することである。
【課題を解決するための手段】
【０００５】
実施形態の鉄道利用管理システムは、一以上の自動改札機と、管理装置とを持つ。自動改札機は、光学読取部と、通過阻止手段制御部と、改札機側通信部とを有する。光学読取部は、端末装置により表示された画像から情報を光学的に読み取る。通過阻止手段制御部は、光学読取部により読み取られた情報に基づいて、端末装置の利用者の通過を阻止するための通過阻止手段を制御する。改札機側通信部は、光学読取部により読み取られた情報に基づく情報を管理装置に送信する。管理装置は、管理装置側通信部と、管理装置側制御部とを有する。管理装置側通信部は、端末装置または自動改札機と通信する。管理装置側制御部は、端末装置に対する利用者の操作に基づいて生成され、管理装置側通信部により端末装置から受信された画像要求情報に基づいて、端末装置の利用者が駅構内に入場するための第１画像を端末装置に表示させるための情報を、管理装置側通信部を用いて端末装置に送信し、管理装置側通信部により自動改札機から受信された情報に基づいて、端末装置の利用者が駅構外に出場するための第２画像を端末装置に表示させるための情報を、管理装置側通信部を用いて端末装置に送信する。自動改札機と管理装置のうち少なくとも一方は、光学読取部により読み取られた情報に基づいて利用者の通過可否を判定する通過可否判定部を有する。
【図面の簡単な説明】
【０００６】
【図１】第１の実施形態における鉄道利用管理システム１の構成の一例を示す図。
【図２】端末装置１０の構成の一例を示す図。
【図３】乗車券購入アプリ３１が起動された際に、端末装置１０のタッチパネル部に乗車券購入のための入力画面が表示された様子を示す図。
【図４】第１の実施形態における自動改札機１００を上方から見た図。
【図５】第１の実施形態における自動改札機１００の読取部１１１を上方から見た図。
【図６】第１の実施形態における自動改札機１００の機能構成の一例を示す図。
【図７】第１の実施形態におけるセンターサーバ装置３００の機能構成の一例を示す図。
【図８】決済用情報データベース３３２の一例を示す図。
【図９】効力情報データベース３３４の一例を示す図。
【図１０】入場情報データベース３３６の一例を示す図。
【図１１】出場情報データベース３３８の一例を示す図。
【図１２】第１の実施形態における鉄道利用管理システム１の処理の流れの一例を示すシーケンス図。
【図１３】第１の実施形態における端末装置１０による処理の流れの一例を示すフローチャート。
【図１４】第１の実施形態における自動改札機１００による処理の流れの一例を示すフローチャート。
【図１５】第１の実施形態におけるセンターサーバ装置３００による処理の流れの一例を示すフローチャート。
【図１６】乗車券購入アプリ３１が起動された際に、端末装置１０のタッチパネル部に乗車券購入のための入力画面が表示された様子を示す図。
【図１７】第２の実施形態における自動改札機１００Ａによる処理の流れの一例を示すフローチャート。
【図１８】第３の実施形態における自動改札機１００Ｂの機能構成の一例を示す図。
【図１９】第３の実施形態における鉄道利用管理システム１Ｂの処理の流れの一例を示すシーケンス図。
【図２０】第３の実施形態における鉄道利用管理システム１Ｂの処理の流れの一例を示すシーケンス図。
【図２１】利用者が第１特定乗継を行う場合の鉄道利用管理システムによる処理の流れを模式的に示す図。
【図２２】第３の実施形態における自動改札機１００Ｂによる処理の流れの一例を示すフローチャート。
【図２３】コードＩＤに対して運賃の算出結果が対応付けられた情報の一例を示す図。
【発明を実施するための形態】
【０００７】
以下、実施形態の鉄道利用管理システム、管理装置、およびプログラムを、図面を参照して説明する。実施形態の鉄道利用管理システムは、鉄道の駅における入出場の管理を行うシステムである。
【０００８】
（第１の実施形態）
［全体構成］
図１は、第１の実施形態における鉄道利用管理システム１の構成の一例を示す図である。鉄道利用管理システム１は、例えば、端末装置１０と、複数の自動改札機１００と、複数の駅務サーバ装置２００と、センターサーバ装置３００とを備える。各駅には、少なくとも一つの自動改札機１００および駅務サーバ装置２００が設置される。
【０００９】
端末装置１０は、利用者によって利用される携帯可能な端末装置である。端末装置１０は、例えば、スマートフォンなどの携帯電話、タブレット端末、ＰＤＡ（Personal Digital Assistant）などである。端末装置１０は、自動改札機１００に翳す媒体として利用される。すなわち、鉄道利用管理システム１では、端末装置１０が乗車券として利用される。端末装置１０の画面上には、端末装置１０を乗車券として機能させるための読取画像ＣＤが表示される。この読取画像ＣＤは、利用者が自動改札機１００を通過する際に自動改札機１００によって読み取られる。読取画像ＣＤは、例えば、ＱＲコード等の二次元コードや、バーコード等の一次元コード等である。これらの各種コードは、例えば、乗車券としての効力情報、または効力情報とその他情報とを含めた情報がエンコードされたものである。効力情報は、例えば、有効期間、入場駅（発駅）の識別情報、乗車可能区間、読取画像ＣＤのそれぞれを識別するコード識別情報（コードＩＤ）等を含む情報である。また、その他情報は、例えば、端末装置１０における設定言語等を含む情報である。なお、読取画像ＣＤは、機械（自動改札機１００）によって内容が認識可能であると共に、人が視認することによって内容が認識できないものであれば如何なる態様であってもよい。
【００１０】
自動改札機１００は、例えば、駅の改札口に設けられる。自動改札機１００は、端末装置１０の表示画面に表示された読取画像ＣＤから情報を読み取ることによって、利用者の通過を許可または禁止する。なお、本実施形態において自動改札機１００は、読取画像ＣＤのみを処理可能な装置として説明するがこれに限られない。例えば、自動改札機１００は、更に、交通系ＩＣカードや磁気券、コードが印刷された紙券などを並行して処理可能な装置であってもよい。
【００１１】
駅務サーバ装置２００は、例えば、ＬＡＮ（Local Area Network）等のネットワークを介して自動改札機１００と通信を行う。また、駅務サーバ装置２００は、自動改札機１００から取得した情報を、ＬＡＮやＷＡＮ（Wide Area Network）等を含むネットワークＮＷを介して、センターサーバ装置３００に送信する。更に、駅務サーバ装置２００は、センターサーバ装置３００から受信した情報を自動改札機１００等に送信する。
【００１２】
センターサーバ装置３００は、駅務サーバ装置２００およびネットワークＮＷを介して自動改札機１００から受信した情報に基づいて、種々の処理を行う。また、センターサーバ装置３００は、端末装置１０とネットワークＮＷを介して通信を行う。センターサーバ装置３００は、「管理装置」の一例である。
【００１３】
以下、端末装置１０、自動改札機１００、およびセンターサーバ装置３００についてそれぞれ説明する。
【００１４】
［端末装置］
まず、端末装置１０について説明を行う。図２は、端末装置１０の構成の一例を示す図である。端末装置１０は、例えば、操作部１１と、表示部１２と、端末側通信部１３と、乗車券購入処理部１４と、端末側記憶部３０とを備える。操作部１１は、例えば、ボタン、キーボード、マウス、マイク、タッチパネル等のユーザインターフェースである。なお、表示部１２がタッチパネルである場合、操作部１１の一部は表示部１２と一体として形成される。操作部１１は、利用者による、読取画像ＣＤを表示部１２に表示させるための入力操作を受け付ける。
【００１５】
表示部１２は、例えば、ＬＣＤ（Liquid Crystal Display）や有機ＥＬ（Electroluminescence）ディスプレイなどの表示装置を含む。表示部１２は、乗車券購入処理部１４によって出力される情報に基づいて各種画像を表示する。以下、操作部１１と表示部１２が一体として形成されたものをタッチパネル部と称して説明する。タッチパネル部およびその他の操作部１１の構成は、「受付部」の一例である。
【００１６】
端末側通信部１３は、図示しない無線基地局により仲介されるセルラー網やＷｉ−Ｆｉ網、専用回線、プロバイダ、インターネット等を介してセンターサーバ装置３００と通信する。
【００１７】
乗車券購入処理部１４は、ＣＰＵ（Central Processing Unit）等のプロセッサが端末側記憶部３０に記憶されたプログラム（例えば乗車券購入アプリ３１）を実行することにより実現される。プログラムは、例えば、ネットワークＮＷを介してアプリケーションサーバからダウンロードされてもよいし、ＳＤカードなどの可搬型記憶媒体に格納されたものが端末装置１０にインストールされてもよい。また、乗車券購入処理部１４の機能のうち一部または全部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００１８】
端末側記憶部３０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。端末側記憶部３０は、プロセッサが実行する乗車券購入アプリ３１等のプログラムを格納する。
【００１９】
図３は、乗車券購入アプリ３１が起動された際に、端末装置１０のタッチパネル部に乗車券購入のための入力画面が表示された様子を示す図である。この入力画面は、予めユーザ登録をしておき、例えばユーザＩＤやパスワードを入力してログインした後に、所定の操作をすることで表示される。例えば、乗車券購入アプリ３１がタッチ操作されるなどして起動すると、乗車券購入処理部１４は、乗車券購入のための入力画面を端末装置１０に表示させる。入力画面には、日本語や英語といった端末装置１０の設定言語を設定するための領域Ａ１、乗車区間を指定するための領域Ａ２、乗車券の効力が有効開始となる乗車日を指定するための領域Ａ３、乗車券の発行要求を確定するためのボタンＢ１などが設けられてよい。端末装置１０の設定言語は、乗車券購入アプリ３１内での設定言語であってもよいし、端末装置１０のＯＳ（Operating System）の設定言語であってもよい。
【００２０】
また、入力画面には、乗車券購入に係る費用の決済方式を指定するための領域（不図示）などが設けられていてもよい。このような入力画面は、乗車券購入アプリ３１へのログインが完了した後に表示されてよい。上述した領域に各種情報が入力されて、図中「ＹＥＳ」ボタンが操作されると、乗車券の発行要求が確定する。この場合、乗車券購入処理部１４は、端末側通信部１３を用いて、入力された情報を画像要求情報（画像リクエスト）としてセンターサーバ装置３００に送信する。
【００２１】
［自動改札機］
次に、自動改札機１００の説明を行う。図４は、第１の実施形態における自動改札機１００を上方から見た図である。自動改札機１００は、例えば、通路を挟んで対向配置される主機１１０と従機１３０とを備えてよい。主機１１０は、例えば、読取部１１１と、上面表示部１１２と、正面表示部１１３と、扉部１１４および１１５と、改札機側制御部１５０とを備える。また、従機１３０は、読取部１３１と、上面表示部１３２と、正面表示部１３３と、扉部１３４および１３５とを備える。
【００２２】
主機１１０の読取部１１１は、図４に示すａ方向に通過しようとする利用者によって翳された端末装置１０により表示された読取画像ＣＤを撮像し、画像データを改札機側制御部１５０に送信する。
【００２３】
上面表示部１１２は、読取部１１１に対して端末装置１０が翳された場合に、改札機側制御部１５０によって処理された結果、またはセンターサーバ装置３００から受信した情報に基づく画像を表示する。正面表示部１１３は、図４に示すａ方向に通過可能であるか否かを示すマークや図形、文字等を表示する。正面表示部１１３の表示内容または表示の有無は、改札機側制御部１５０によって決定される。
【００２４】
一方、従機１３０の読取部１３１は、図４に示すｂ方向に通過しようとする利用者によって翳された端末装置１０に表示された読取画像ＣＤを撮像し、画像データを改札機側制御部１５０に送信する。上面表示部１３２は、読取部１３１に対して端末装置１０が翳された場合に、改札機側制御部１５０によって処理された結果、またはセンターサーバ装置３００から受信した情報に基づく画像を表示する。正面表示部１３３は、図４に示すｂ方向に通過可能であるか否かを示すマークや図形、文字等を表示する。正面表示部１３３の表示内容または表示の有無は、改札機側制御部１５０によって決定される。
【００２５】
改札機側制御部１５０は、図４に示すａ方向への利用者の通過を許可する動作モードに自動改札機１００が設定されている場合、扉部１１５および１３５を開放状態に維持すると共に、扉部１１４および１３４を開放状態または閉止状態に制御することで、ａ方向の利用者の通過を許可または禁止する。また、改札機側制御部１５０は、図４に示すｂ方向への利用者の通過を許可する動作モードに自動改札機１００が設定されている場合、扉部１１４および１３４を開放状態に維持すると共に、扉部１１５および１３５を開放状態または閉止状態に制御することで、ｂ方向の利用者の通過を許可または禁止する。
【００２６】
また、自動改札機１００の動作モードには、図４に示すａ方向の通過とｂ方向の通過との双方を許可する動作モードが含まれていてもよい。この場合、改札機側制御部１５０は、例えば、利用者が通過中でなければ正面表示部１１３と正面表示部１３３の双方に通過を許可することを示すマークや図形、文字等を表示させる制御を行う。また、改札機側制御部１５０は、例えば、利用者がａ方向およびｂ方向のいずれかの側から進入し、読取部１１１と読取部１３１とのいずれか一方に端末装置１０が翳されると、他方の読取部を無効化すると共に、利用者が進入してきていない側の表示部（正面表示部１１３または正面表示部１３３）に、通過を禁止することを示すマークや図形、文字等を表示させる制御を行う。
【００２７】
なお、自動改札機１００は、上述したように利用者が双方向に通過可能なものに限らず、主機と補機（従機）により構成される、利用者が一方向にのみ通過可能なものであってもよい。
【００２８】
図５は、第１の実施形態における自動改札機１００の読取部１１１を上方から見た図である。読取部１１１は、例えば、タッチ面表示部ＰＮおよびカメラＣＡＭを備える。タッチ面表示部ＰＮは、例えば、ＬＣＤや有機ＥＬディスプレイであり、上方から見てカメラＣＡＭの周囲に配置される。カメラＣＡＭは、利用者によって自機前に翳された物体を撮像する。例えば、表示画面に読取画像ＣＤが表示された端末装置１０が利用者によって翳されると、カメラＣＡＭは、端末装置１０の表示画面を撮像する。カメラＣＡＭは、例えば、ＣＣＤ（Charge-Coupled Device）やＣＭＯＳ（Complementary Metal Oxide Semiconductor）等のイメージセンサを有する。なお、図５に示す読取部１１１の構成は、従機１３０の読取部１３１にも同様に適用してもよい。すなわち、従機１３０の読取部１３１は、タッチ面表示部ＰＮおよびカメラＣＡＭを含む構成であってもよい。
【００２９】
図６は、第１の実施形態における自動改札機１００の機能構成の一例を示す図である。自動改札機１００は、図４に示す構成の他、例えば、外部装置と通信を行う改札機側通信部１４５と、改札機側制御部１５０の指示に従って音声を出力するスピーカ１４０と、種々の情報を格納する改札機側記憶部１７０とを更に備える。改札機側制御部１５０は、通信制御部１５２と、画像処理部１５４と、通過可否判定部１５６と、通過制御部１５８とを備える。上述した読取部１１１、１３１と画像処理部１５４とを合わせたものは、「光学読取部」の一例である。また、通過制御部１５８は、「通過阻止手段制御部」の一例である。
【００３０】
改札機側制御部１５０の構成要素の一部または全部は、ＣＰＵ等のプロセッサが改札機側記憶部１７０に記憶されたプログラムを実行することにより実現されてよい。また、改札機側制御部１５０の構成要素の一部または全部は、ＬＳＩ、ＡＳＩＣ、ＦＰＧＡ等のハードウェアによって実現され、それぞれの機能を実現するための回路構成を有してもよい。また、改札機側制御部１５０の構成要素の一部または全部は、ソフトウェアとハードウェアの協働によって実現されてもよい。
【００３１】
改札機側記憶部１７０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現されてよい。改札機側記憶部１７０は、プロセッサが実行するプログラムを格納する他、自機が設置された駅の識別情報や、各種表示部に表示させる画像データやテキストデータ、スピーカ１４０に出力させる音声データ、運賃テーブル１７２等を格納する。画像データ、テキストデータ、および音声データは、乗車券購入アプリ３１において設定され得る端末装置１０の設定言語の数に対応した数だけ用意されてよい。運賃テーブル１７２は、例えば、駅の区間に対して運賃が対応付けられた情報である。
【００３２】
通信制御部１５２は、改札機側通信部１４５を用いて、画像処理部１５４による処理結果、読取部１１１（１３１）に読取画像ＣＤが翳された時刻、自機が設置された駅の識別情報などを、駅務サーバ装置２００を介してセンターサーバ装置３００に送信する。また、通信制御部１５２は、改札機側通信部１４５を用いて、センターサーバ装置３００により駅務サーバ装置２００を介して送信された情報を受信してもよい。自機が設置された駅の識別情報（駅ＩＤ）は、予め改札機側記憶部１７０に格納されてよい。
【００３３】
画像処理部１５４は、例えば、読取部１１１（１３１）のカメラＣＡＭにより撮像された画像における読取画像ＣＤの部分を解析して配列情報を取得し、配列情報をデコードして、ビット列などで表されるコンピュータが認識可能な電子情報に変換する。電子情報には、前述した効力情報が含まれる。
【００３４】
通過可否判定部１５６は、画像処理部１５４により取得された情報に基づいて、利用者の通過可否を判定する。
【００３５】
通過制御部１５８は、通過可否判定部１５６による判定結果に基づいて、利用者の通過を許可、あるいは禁止する制御を行う。また、通過制御部１５８は、画像処理部１５４によって読取画像ＣＤが抽出されない場合、または抽出された読取画像ＣＤがデコードされない、あるいはデコードされた結果が無効な場合、利用者の通過を禁止する制御を行う。通過制御部１５８は、通過の許可または禁止の判定に応じて、扉部１１４、１１５、１３４、１３５、スピーカ１４０、上面表示部１１２、１３２、正面表示部１１３、１３３、タッチ面表示部ＰＮ、またはこれらを組み合わせたものを制御する。少なくとも扉部１１４、１１５、１３４、１３５は、「通過阻止手段」の一例である。なお、通過制御部１５８は、画像処理部１５４により取得された情報に、端末装置１０（乗車券購入アプリ３１）における設定言語の情報が含まれている場合、この設定言語に合わせて各種表示部に表示させる画像データ（またはテキストデータ）やスピーカ１４０に出力させる音声データを選択してよい。例えば、設定言語が英語の場合、通過制御部１５８は、改札機側記憶部１７０に格納された各種データから、英字表記されたテキストデータを選択すると共に、英語音声の音声データを選択する。
【００３６】
［センターサーバ装置］
次に、センターサーバ装置３００の説明を行う。図７は、第１の実施形態におけるセンターサーバ装置３００の機能構成の一例を示す図である。センターサーバ装置３００は、例えば、サーバ側通信部３０５と、サーバ側制御部３１０と、サーバ側記憶部３３０とを備える。
【００３７】
サーバ側制御部３１０は、アプリ連携処理部３１２と、決済処理部３１４とを備える。サーバ側制御部３１０のこれらの構成要素のうち一部または全部は、ＣＰＵ等のプロセッサがサーバ側記憶部３３０に記憶されたプログラムを実行することにより実現される。プログラムは、例えば、ネットワークＮＷを介してアプリケーションサーバからダウンロードされてもよいし、ＳＤカードなどの可搬型記憶媒体に格納されたものがセンターサーバ装置３００にインストールされてもよい。また、サーバ側制御部３１０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００３８】
サーバ側記憶部３３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。サーバ側記憶部３３０は、プロセッサが実行するプログラムを格納する他、後述する決済用情報データベース３３２、効力情報データベース３３４、入場情報データベース３３６、および出場情報データベース３３８を格納する。
【００３９】
図８は、決済用情報データベース３３２の一例を示す図である。図示のように、決済用情報データベース３３２は、乗車券購入アプリ３１の利用者の識別情報であるユーザＩＤに対し、乗車券購入に係る費用の決済方式などの情報が対応付けられた情報である。ユーザＩＤは、例えば、乗車券購入アプリ３１のログインＩＤであってよい。決済用情報データベース３３２は、例えば、乗車券購入アプリ３１が起動された端末装置１０により送信された情報を参照することによって随時、レコード（一つのユーザＩＤに対応するデータ）が追加されてよい。なお、端末装置１０の利用者が指定する決済方式や口座番号などを、駅窓口の駅務員や決済代行サービス業者のオペレータなどが専用端末に入力する場合、センターサーバ装置３００は、当該専用端末により出力された情報を参照することで決済用情報データベース３３２を生成してもよい。
【００４０】
図９は、効力情報データベース３３４の一例を示す図である。図示のように、効力情報データベース３３４は、ユーザＩＤに対し、有効期間、入場駅の識別情報（入場駅ＩＤ）、コードＩＤといった効力情報が対応付けられた情報である。効力情報データベース３３４には、例えば、乗車券購入アプリ３１が起動された端末装置１０により送信された情報が随時、レコードとして追加されてよい。
【００４１】
図１０は、入場情報データベース３３６の一例を示す図である。図示のように、入場情報データベース３３６は、コードＩＤに対し、入場時刻、入場駅の識別情報（入場駅ＩＤ）、入出場コードといった情報が対応付けられた情報である。入場情報データベース３３６には、入場処理を行った自動改札機１００により送信された入場情報がレコードとして追加されてよい。
【００４２】
図１１は、出場情報データベース３３８の一例を示す図である。図示のように、出場情報データベース３３８は、コードＩＤに対し、出場時刻、出場駅の識別情報（出場駅ＩＤ）、入出場コードといった情報が対応付けられた情報である。出場情報データベース３３８は、出場処理を行った自動改札機１００により送信された出場情報がレコードとして追加されてよい。
【００４３】
サーバ側通信部３０５は、上述したネットワークＮＷを介して、端末装置１０や自動改札機１００と通信を行う。
【００４４】
アプリ連携処理部３１２は、サーバ側通信部３０５を用いて、乗車券購入アプリ３１が起動された端末装置１０と通信を行い、端末装置１０の画面に表示させる画像を制御する。例えば、アプリ連携処理部３１２は、サーバ側通信部３０５により画像要求情報が受信されると、端末装置１０の画面に読取画像ＣＤを表示させるために画像生成情報を生成し、これを画像要求情報に対するレスポンスとして端末装置１０に送信する。画像生成情報は、例えば、読取画像ＣＤの画像データそのもの、或いは圧縮された画像データであってもよいし、読取画像ＣＤの元となる効力情報などが文字や数値などに変換されたテキストデータまたはバイナリデータであってもよい。また、画像生成情報は、読取画像ＣＤを表示するウェブサイトのＵＲＬ（Uniform Resource Locator）であってもよい。端末装置１０は、画像生成情報をセンターサーバ装置３００から受信すると、画像生成情報に基づいて読取画像ＣＤを表示する。なお、画像生成情報がテキストデータまたはバイナリデータである場合、端末装置１０は、それらのデータに基づく効力情報を読取画像ＣＤにエンコードし、当該読取画像ＣＤをタッチパネル部に描画（レンダリング）する。
【００４５】
決済処理部３１４は、入場用の自動改札機１００および出場用の自動改札機１００の双方において通過が許可された利用者に対して、入場駅から出場駅までの利用区間の運賃（課金額の一例）を算出する。例えば、決済処理部３１４は、入場情報に含まれる入場駅の識別情報と、出場情報に含まれる出場駅の識別情報とに基づいて、利用区間の運賃を算出してよい。そして、決済処理部３１４は、効力情報データベース３３４を参照して、入場情報または出場情報に含まれるコードＩＤに対応付けられた利用者（ユーザＩＤ）を特定し、当該利用者に対して運賃を請求することを決定する。例えば、決済処理部３１４は、決済用情報データベース３３２を参照して、ユーザＩＤごとに設定された決済方式を用いて、予め定められた口座から運賃を引き落とし決済する。なお、実際の決済処理は、クレジット会社や通信キャリア会社の決済サーバなど、外部装置に依頼して行ってもよい。また、決済処理部３１４による決済処理は、利用者が自動改札機１００を通過する度に行われてもよいし、所定期間後に一括して行われてもよい。また、決済処理部３１４による決済処理は、必ずしも利用者が自動改札機１００を通過するタイミングで行われる必要はなく、通過後のいずれかのタイミングで行われてよい。また、決済処理部３１４は、乗車券購入アプリ３１において乗車券が購入された時点、すなわち端末装置１０から画像要求情報を受信した時点で運賃の決済を行ってもよい。
【００４６】
［処理の内容］
以下、鉄道利用管理システム１の一連の処理について説明する。図１２は、第１の実施形態における鉄道利用管理システム１の処理の流れの一例を示すシーケンス図である。なお、本シーケンスでは、自動改札機１００とセンターサーバ装置３００との通信を仲介する駅務サーバ装置２００については説明を省略している。
【００４７】
まず、端末装置１０は、乗車券購入アプリ３１が起動されると入力画面を表示する（ステップＳ１００）。次に、端末装置１０は、入力画面に入力された情報を含む画像要求情報をセンターサーバ装置３００に送信する（ステップＳ１０２）。
【００４８】
次に、センターサーバ装置３００は、端末装置１０から受信した画像要求情報から効力情報を抽出し、当該効力情報をレコードとして効力情報データベース３３４に記憶させると共に、効力情報を含む画像生成情報を生成する（ステップＳ１０４）。次に、センターサーバ装置３００は、生成した画像生成情報を、画像要求情報に対するレスポンスとして端末装置１０に送信する（ステップＳ１０６）。
【００４９】
次に、端末装置１０は、センターサーバ装置３００から受信した画像生成情報に基づいて、読取画像ＣＤの画像を画面に表示する（ステップＳ１０８）。これによって、利用者は、読取画像ＣＤを表示した端末装置１０を自動改札機１００に翳すことで駅構内に入場することができる。以下、駅構内に入場する際に用いられる読取画像ＣＤを「入場用読取画像」と称して説明する。入場用読取画像は、「第１画像」の一例である。
【００５０】
自動改札機１００は、入場用読取画像を表示した端末装置１０が翳された場合、端末装置１０から入場用読取画像を読み取り、読み取った入場用読取画像から効力情報を取得する（ステップＳ１１０）。次に、自動改札機１００は、取得した効力情報と、現在の時刻情報と、自機が設置された駅の識別情報（すなわち入場駅の識別情報）と、運賃テーブル１７２とに基づいて、入場する利用者の通過可否を判定する（ステップＳ１１２）。以下では、通過が許可されたものとする。
【００５１】
次に、自動改札機１００は、通過を許可すると、取得した効力情報と共に、入場用読取画像が翳された時刻（入場時刻）や自機が設置された駅の識別情報などを含む入場情報をセンターサーバ装置３００に送信する（ステップＳ１１４）。
【００５２】
次に、センターサーバ装置３００は、自動改札機１００から受信した効力情報および入場情報をそれぞれ効力情報データベース３３４と入場情報データベース３３６とに記憶させる（ステップＳ１１６）。
【００５３】
次に、センターサーバ装置３００は、効力情報および入場情報を含む画像生成情報を生成し、当該画像生成情報を端末装置１０に送信する（ステップＳ１１８）。
【００５４】
端末装置１０は、センターサーバ装置３００から効力情報および入場情報を含む画像生成情報を受信すると、当該画像生成情報に基づいて、読取画像ＣＤの画像を生成して画面に表示する（ステップＳ１２０）。これによって、利用者は、効力情報および入場情報を基に生成された読取画像ＣＤが表示された端末装置１０を自動改札機１００に翳すことで駅構外に出場することができる。以下、駅構外に出場する際に用いられる読取画像ＣＤを「出場用読取画像」と称して説明する。出場用読取画像は、「第２画像」の一例である。
【００５５】
自動改札機１００は、出場用読取画像が表示された端末装置１０が翳された場合、端末装置１０から出場用読取画像を読み取り、出場用読取画像から効力情報と入場情報とを取得する（ステップＳ１２２）。次に、自動改札機１００は、例えば、取得した効力情報および入場情報と、現在の時刻情報と、自機が設置された駅の識別情報（すなわち出場駅の識別情報）と、運賃テーブル１７２とに基づいて、出場する利用者の通過可否を判定する（ステップＳ１２４）。以下では、通過が許可されたものとする。
【００５６】
次に、自動改札機１００は、通過を許可すると、取得した効力情報および入場情報と共に、出場用読取画像が翳された時刻（出場時刻）や自機が設置された駅の識別情報（すなわち出場駅の識別情報）などを含む出場情報をセンターサーバ装置３００に送信する（ステップＳ１２６）。
【００５７】
次に、センターサーバ装置３００は、自動改札機１００から受信した効力情報、入場情報、および出場情報を、それぞれ効力情報データベース３３４、入場情報データベース３３６、および出場情報データベース３３８に記憶させる（ステップＳ１２８）。
【００５８】
また、センターサーバ装置３００の決済処理部３１４は、入場情報に含まれる入場駅の識別情報と、出場情報に含まれる出場駅の識別情報とに基づいて、利用区間に係る運賃を算出し、効力情報データベース３３４を参照して、入場情報または出場情報に含まれるコードＩＤに対応付けられた利用者（ユーザＩＤ）に運賃を請求することを決定する（ステップＳ１３０）。
【００５９】
次に、センターサーバ装置３００は、出場情報と、算出した運賃に関する情報（以下、運賃情報と称する）を端末装置１０に送信する（ステップＳ１３２）。これを受けて、端末装置１０は、画面に乗車が完了したことを示す画像や文字などを表示すると共に、乗車に要した運賃を表示する（ステップＳ１３４）。これによって、鉄道利用管理システム１において一人のユーザが入場してから出場するまでの一連の処理が終了する。
【００６０】
以下、鉄道利用管理システム１における個々の装置の処理について説明する。図１３は、第１の実施形態における端末装置１０による処理の流れの一例を示すフローチャートである。まず、端末装置１０の乗車券購入処理部１４は、乗車券購入アプリ３１が起動されるまで休止状態であり（ステップＳ２００）、乗車券購入アプリ３１が起動されると起動し、乗車券購入のための入力画面を表示して購入操作を受け付ける（ステップＳ２０２）。
【００６１】
次に、乗車券購入処理部１４は、端末側通信部１３を用いて、入力された情報を含む画像要求情報をセンターサーバ装置３００に送信する（ステップＳ２０４）。次に、乗車券購入処理部１４は、端末側通信部１３が１回目の画像生成情報を受信するまで待機し（ステップＳ２０６）、画像生成情報が受信されると、タッチパネル部に入場用読取画像を表示させる（ステップＳ２０８）。
【００６２】
次に、乗車券購入処理部１４は、端末側通信部１３が２回目の画像生成情報を受信するまで待機し（ステップＳ２１０）、画像生成情報が受信されると、画像生成情報を画像にエンコードして出場用読取画像を生成し、当該出場用読取画像をタッチパネル部に表示させる（ステップＳ２１２）。なお、画像生成情報が出場用読取画像の画像データである場合、乗車券購入処理部１４は、読取画像ＣＤの生成処理を省略してよい。
【００６３】
次に、乗車券購入処理部１４は、端末側通信部１３が出場情報および運賃情報を受信するまで待機し（ステップＳ２１４）、これらの情報が受信されると、タッチパネル部に乗車が完了したことを画像や文字で表示させると共に、乗車利用に要した運賃を表示する（ステップＳ２１６）。これによって、本フローチャートの処理が終了する。
【００６４】
図１４は、第１の実施形態における自動改札機１００による処理の流れの一例を示すフローチャートである。まず、画像処理部１５４は、読取部１１１（１３１）に読取画像ＣＤが翳されるまで待機し（ステップＳ３００）、読取画像ＣＤが翳されると、読取部１１１（１３１）のカメラＣＡＭにより撮像された画像から読取画像ＣＤを抽出し、抽出した読取画像ＣＤをデコードして、読取画像ＣＤに含まれる情報を取得する（ステップＳ３０２）。
【００６５】
次に、通過可否判定部１５６は、画像処理部１５４により取得された情報に入場情報が含まれているか否かを判定する（ステップＳ３０４）。通過可否判定部１５６は、入場情報が含まれていない場合、翳された読取画像ＣＤが入場用読取画像であると判定する。一方、通過可否判定部１５６は、入場情報が含まれている場合、翳された読取画像ＣＤが出場用読取画像であると判定する。
【００６６】
次に、通過可否判定部１５６は、通過可否の判定を行う（ステップＳ３０６）。例えば、翳された読取画像ＣＤが入場用読取画像である場合、通過可否判定部１５６は、効力情報に含まれる入場駅の識別情報と、自機が設けられた駅の識別情報とが合致し、さらに、入場時刻が効力情報の示す有効期間内である場合には、利用者の入場を許可し、他の場合には入場を禁止する。
【００６７】
また、翳された読取画像ＣＤが出場用読取画像である場合、通過可否判定部１５６は、効力情報に含まれる出場駅の識別情報と、自機が設けられた駅の識別情報とが合致し、さらに、出場時刻が効力情報の示す有効期間内である場合には、利用者の出場を許可し、他の場合には出場を禁止する。
【００６８】
また、通過可否判定部１５６は、出場時に翳された読取画像ＣＤから入場情報を取得できない場合、すなわち駅構内側の読取部に本来翳されるべき出場用読取画像ではなく入場用読取画像が翳された場合、出場を禁止する。なお、通過可否判定部１５６は、効力情報に含まれる入場駅または出場駅の識別情報と自駅の識別情報とが合致しなくても入場また出場を許可してもよい。例えば、通過可否判定部１５６は、運賃テーブル１７２を参照して、入場駅から出場駅までの利用区間内における経由駅の識別情報と自駅の識別情報とが合致する場合、すなわち、利用者が購入時に指定した入場駅と異なる経由駅から乗車しようとする場合は入場を許可すると共に、購入時に指定した出場駅と異なる経由駅から降車しようとする場合は出場を許可してよい。この場合、センターサーバ装置３００における決済処理部３１４は、入場情報に含まれる入場駅の識別情報と、出場情報に含まれる出場駅の識別情報とに基づいて運賃を算出するため、購入時に入力した区間に対応した本来の運賃を請求せずに、実際に利用した区間での運賃を請求することができ、利用者の利便性を向上させることができる。
【００６９】
次に、通過制御部１５８は、通過可否判定部１５６により通過を禁止された場合、扉部１１４、１１５、１３４、１３５、スピーカ１４０、上面表示部１１２、１３２、正面表示部１１３、１３３、タッチ面表示部ＰＮを制御して、利用者の通過を防ぐ（ステップＳ３０８）。一方、通過制御部１５８は、通過可否判定部１５６により通過を許可された場合、扉部１１４、１１５、１３４、１３５、スピーカ１４０、上面表示部１１２、１３２、正面表示部１１３、１３３、タッチ面表示部ＰＮを制御して、利用者を通過させる（ステップＳ３１０）。
【００７０】
次に、通信制御部１５２は、改札機側通信部１４５を用いて、画像処理部１５４により取得された情報と、自機が設置された駅の識別情報および読取画像ＣＤが翳された時刻を含む情報（入場情報または出場情報）とをセンターサーバ装置３００に送信する（ステップＳ３１２）。これによって、本フローチャートの処理が終了する。
【００７１】
図１５は、第１の実施形態におけるセンターサーバ装置３００による処理の流れの一例を示すフローチャートである。
【００７２】
まず、アプリ連携処理部３１２は、サーバ側通信部３０５が端末装置１０から画像要求情報を受信したか否かを判定する（ステップＳ４００）。端末装置１０から画像要求情報を受信した場合、アプリ連携処理部３１２は、画像要求情報に含まれる情報から効力情報を抽出し、抽出した効力情報を用いて入場用読取画像を生成するための画像生成情報を生成し、当該画像生成情報を端末装置１０に送信する（ステップＳ４０２）。
【００７３】
一方、端末装置１０から画像要求情報を受信しない場合、アプリ連携処理部３１２は、サーバ側通信部３０５が自動改札機１００から情報を受信したか否かを判定する（ステップＳ４０４）。自動改札機１００から情報を受信しない場合、本フローチャートの処理は終了する。
【００７４】
一方、自動改札機１００から情報を受信した場合、アプリ連携処理部３１２は、当該情報に出場情報が含まれているか否かを判定する（ステップＳ４０６）。アプリ連携処理部３１２は、出場情報が含まれていない場合、効力情報および入場情報を用いて出場用読取画像を生成するための画像生成情報を生成し、当該画像生成情報を端末装置１０に送信する（ステップＳ４０８）。
【００７５】
一方、決済処理部３１４は、出場情報が含まれている場合、入場情報に含まれる入場駅の識別情報と、出場情報に含まれる識別情報とに基づいて、利用区間の運賃を算出する（ステップＳ４１０）。なお、決済処理部３１４は、効力情報が示す利用区間の運賃を算出してもよい。この場合、決済処理部３１４は、端末装置１０から画像要求情報を受信した時点で効力情報を参照し、利用区間の運賃を算出してもよい。
【００７６】
次に、アプリ連携処理部３１２は、サーバ側通信部３０５を用いて、出場情報および運賃情報を端末装置１０に送信する（ステップＳ４１２）。これによって、本フローチャートの処理が終了する。
【００７７】
上述した実施形態では、同じ読取画像ＣＤが重複して利用される場合が想定される。例えば、いずれかの読取画像ＣＤが表示された端末装置１０において、スクリーンキャプチャなどの機能によって読取画像ＣＤがコピーされたり、読取画像ＣＤが表示された画面がカメラなどで撮像されたりすることで、第三者によって不正に読取画像ＣＤが利用される可能性がある。例えば、決済処理部３１４は、出場情報が出場情報データベース３３８に登録される際に、入場情報データベース３３６に１レコードしかないにも関わらず出場情報データベース３３８に複数レコードが登録されたコードＩＤが存在する場合、一つの入場情報と、複数の出場情報のそれぞれとの組み合わせの全てに対して運賃を算出し、請求するものとしてよい。これによって、購入者のコピーによる不正利用によって被る損害を防止することができる。
【００７８】
以上説明した第１の実施形態によれば、センターサーバ装置３００は、端末装置１０により送信された画像要求情報を受信し、画像要求情報に対するレスポンスとして入場用読取画像の画像生成情報を端末装置１０に送信する。端末装置１０には、画像生成情報に基づく入場用読取画像が表示される。自動改札機１００は、入場用読取画像が表示された端末装置１０が翳されると、入場用読取画像から効力情報を読み取り、読み取った効力情報に基づいて通過可否の判定を行い、通過を許可した場合に読み取った効力情報と共に入場情報をセンターサーバ装置３００に送信する。センターサーバ装置３００は、効力情報および入場情報を含む画像生成情報を、端末装置１０に送信する。端末装置１０は、画像生成情報に基づいて出場用読取画像を表示する。自動改札機１００は、出場用読取画像が表示された端末装置１０が翳されると、出場用読取画像から効力情報および入場情報を読み取り、読み取った情報に基づいて通過可否の判定を行い、通過を許可した場合に読み取った効力情報および入場情報と共に出場情報をセンターサーバ装置３００に送信する。これによって、鉄道利用管理システム１は、端末装置１０と自動改札機１００との間で通信を行わずに、端末装置１０を保有する利用者の入出場の管理を容易に行うことができる。この結果、端末装置１０に自動改札機１００と通信する機能（カードエミュレーション機能）を持たせる必要が無くなり、装置負担の増大を抑制することができる。すなわち、ほとんどの端末装置１０が有している、インターネット等のネットワークにアクセスする機能、および表示機能を用いてシステムを実現することができる。
【００７９】
また、上述した第１の実施形態によれば、利用者が保有する端末装置１０に読取画像ＣＤを表示させることで端末装置１０を乗車券の媒体として利用するため、紙券やＩＣカードなどの発行に係る負担、および資源の消費量を低減することができる。一般的に、ＩＣカードや磁気券を発行した場合、ＩＣカードの返却や磁気券の払い戻しがなされると、駅務の負担が増加したり、ＩＣカードや磁気券の破棄に係る費用が増加したりする問題があった。また、紙の原料となる樹木、ＩＣチップの電子部品、プラスチックの原料となる石油などの資源を消費してしまうという問題もあった。これに対して、本実施形態では、利用者が保有する端末装置１０を媒体として利用するため、種々の運用コストを低減させることができる。
【００８０】
また、上述した第１の実施形態によれば、センターサーバ装置３００を経由して端末装置１０に入出場情報が送信されるため、入出場情報を自動改札機１００に配信する必要がなくなる。例えば、出場用読取画像の元となる画像生成情報内に入場情報を含めない場合、端末装置１０を保有する利用者の入場管理は、センターサーバ装置３００側で行う必要がある。この場合、例えば、センターサーバ装置３００により管理される入場情報データベース３３６を各駅の自動改札機１００に配信することで、自動改札機１００側で入場が済んだ端末装置１０と、そうでない端末装置１０とを選り分け通過可否の判定を行うことが考えられる。このように、複数の自動改札機１００に入場情報データベース３３６を配信した場合、自動改札機１００およびセンターサーバ装置３００の通信負荷が増大したり、自動改札機１００側で大容量の記憶媒体を備えている必要が生じたりする場合がある。これに対して、本実施形態では、端末装置１０が、効力情報と入場情報とを含む画像生成情報に基づいて出場用読取画像を表示するため、自動改札機１００は、出場処理時に出場用読取画像から読み取った効力情報と入場情報のみで通過可否の判定を行うことができる。この結果、自動改札機１００の構成を簡素なものとすることができ、自動改札機１００とセンターサーバ装置３００との間の通信負荷を低減することができる。
【００８１】
また、上述した第１の実施形態によれば、端末装置１０にインストールされた乗車券購入アプリ３１を用いて乗車券を購入すると端末装置１０が乗車券の媒体として扱われることになるため、利用者の利便性を向上させると共に、発券機前で生じる待ち行列などの発生を抑制し、駅の混雑を解消することができる。
【００８２】
（第１の実施形態の変形例）
以下、第１の実施形態の変形例について説明する。上述した第１の実施形態では、自動改札機１００が利用者の通過可否の判定を行うものとして説明したが、係る判定をセンターサーバ装置３００が行ってもよい。すなわち、通過可否判定部１５６は、センターサーバ装置３００が有する構成であってもよい。この場合、自動改札機１００は、読取画像ＣＤから読み取った各種情報（入場情報、出場情報として例示したもののうち一部または全部）をセンターサーバ装置３００に送信する。センターサーバ装置３００における通過可否判定部は、サーバ側通信部３０５を用いて、自動改札機１００により送信された情報を受信し、自動改札機１００に端末装置１０を翳した利用者の通過可否を判定する。センターサーバ装置３００における通過可否判定部は、サーバ側通信部３０５を用いて、判定結果を自動改札機１００に送信する。そして、自動改札機１００における通過制御部１５８は、センターサーバ装置３００により送信された通過可否の判定結果に応じて、利用者の通過を制御する。
【００８３】
また、上述した第１の実施形態では、端末装置１０において起動された乗車券購入アプリ３１の機能によって読取画像ＣＤを表示するものとして説明したがこれに限られない。例えば、読取画像ＣＤは、端末装置１０のウェブブラウザによって表示されたウェブページ上に表示されてもよい。この場合、センターサーバ装置３００は、ウェブサーバとして機能するものであってよい。例えば、端末装置１０は、読取画像ＣＤが画像として表示されるウェブページへアクセスするために、ＨＴＴＰ（Hypertext Transfer Protocol）リクエストをセンターサーバ装置３００に送信する。そして、端末装置１０は、センターサーバ装置３００から返信されたＨＴＴＰレスポンスに基づいてウェブページをタッチパネル部に表示させる。ＨＴＴＰレスポンスとして送信されるデータには、少なくとも読取画像ＣＤの画像データが含まれる。この結果、端末装置１０は、画像データに基づいて読取画像ＣＤを表示することになる。なお、読取画像ＣＤを含むウェブページは、パスワード入力などによるユーザ認証が得られたことを条件に、端末装置１０に返信される。
【００８４】
また、上述した第１の実施形態では、駅務サーバ装置２００は、単に自動改札機１００とセンターサーバ装置３００との通信を中継するものとして説明したがこれに限られない。例えば、駅務サーバ装置２００には、センターサーバ装置３００の構成要素の一部または全部が備えられていてもよい。
【００８５】
（第２の実施形態）
以下、第２の実施形態における鉄道利用管理システム１Ａについて説明する。第２の実施形態における鉄道利用管理システム１Ａでは、電子マネーやクレジット決済を利用することを前提に、読取画像ＣＤに効力情報の一部を含めない点で、第１の実施形態と相違する。すなわち、本実施形態における入場用読取画像の画像生成情報には、コードＩＤが含まれるものの、有効期間、入場駅（発駅）の識別情報、乗車可能区間などは省略されてよい。以下では、係る相違点を中心に説明し、共通する部分についての説明は省略する。
【００８６】
図１６は、乗車券購入アプリ３１が起動された際に、端末装置１０のタッチパネル部に乗車券購入のための入力画面が表示された様子の他の例を示す図である。この入力画面は、予めユーザ登録をしておき、例えばユーザＩＤやパスワードを入力してログインした後に、所定の操作をすることで表示される。本実施形態における入力画面では、乗車区間や乗車日などを入力する領域が省略され、日本語や英語といった言語を設定する領域Ａ１、および乗車券の発行要求を確定するためのボタンＢ１が設けられる。例えば、入力画面において、乗車券の発行を確定する入力（図中ＹＥＳ）が操作された場合、端末装置１０の端末側通信部１３は、センターサーバ装置３００に画像要求情報を送信し、センターサーバ装置３００から画像要求情報に対応したレスポンスとしてコードＩＤを含む画像生成情報を受信する。乗車券購入処理部１４は、画像生成情報に含まれるコードＩＤを画像にエンコードして入場用読取画像を生成し、タッチパネル部に表示させる。なお、コードＩＤは、乗車券購入アプリ３１のインストールなどのタイミングで予め端末側記憶部３０に記憶されていてもよい。この場合、乗車券購入処理部１４は、予め端末側記憶部３０に記憶させておいたコードＩＤを読み出して、当該コードＩＤを画像にエンコードすることで入場用読取画像をタッチパネル部に表示させる。また、コードＩＤを含む画像生成情報は、既に画像にエンコードされた画像データであってもよい。このような処理によって、端末装置１０の画面には、効力情報の一部情報であるコードＩＤのみが含まれた入場用読取画像が表示されることになる。
【００８７】
図１７は、第２の実施形態における自動改札機１００Ａによる処理の流れの一例を示すフローチャートである。自動改札機１００Ａの画像処理部１５４は、読取部１１１（１３１）に読取画像ＣＤが翳されるまで待機し（ステップＳ５００）、読取画像ＣＤが翳されると、読取部１１１（１３１）のカメラＣＡＭにより撮像された画像から読取画像ＣＤを抽出し、抽出した読取画像ＣＤをデコードして、読取画像ＣＤに含まれる情報を取得する（ステップＳ５０２）。
【００８８】
次に、通過可否判定部１５６は、画像処理部１５４により取得された情報にコードＩＤと入場情報が含まれているか否かを判定する（ステップＳ５０４）。通過可否判定部１５６は、コードＩＤのみが含まれている場合、現在行っている処理が利用者の入場を管理する処理（入場処理）であるか否かを判定する（ステップＳ５０６）。
【００８９】
現在行っている処理が入場処理である場合、通過可否判定部１５６は、利用者の通過を許可する。これを受けて、通過制御部１５８は、扉部１１４、１１５、１３４、１３５、スピーカ１４０、上面表示部１１２、１３２、正面表示部１１３、１３３、タッチ面表示部ＰＮを制御して、利用者を通過させる（ステップＳ５０８）。そして、通信制御部１５２は、改札機側通信部１４５を用いて、画像処理部１５４により取得されたコードＩＤと、自機が設置された駅の識別情報および読取画像ＣＤが翳された時刻を含む入場情報とをセンターサーバ装置３００に送信する（ステップＳ５１０）。
【００９０】
一方、通過可否判定部１５６は、画像処理部１５４により取得された情報にコードＩＤのみが含まれており、且つ現在行っている処理が入場処理でない場合、利用者の通過を禁止する。すなわち、通過可否判定部１５６は、出場処理中に誤って入場用読取画像が翳されたものと判定する。これを受けて、通過制御部１５８は、扉部１１４、１１５、１３４、１３５、スピーカ１４０、上面表示部１１２、１３２、正面表示部１１３、１３３、タッチ面表示部ＰＮを制御して、利用者の通過を防ぐ（ステップＳ５１２）。
【００９１】
一方、通過可否判定部１５６は、画像処理部１５４により取得された情報にコードＩＤおよび入場情報の双方が含まれている場合、現在行っている処理が利用者の出場を管理する処理（出場処理）であるか否かを判定する（ステップＳ５１４）。
【００９２】
現在行っている処理が出場処理である場合、通過可否判定部１５６は、利用者の通過を許可する。これを受けて、通過制御部１５８は、Ｓ５０８の処理を行い、利用者を通過させる。そして、通信制御部１５２は、Ｓ５１０の処理として、改札機側通信部１４５を用いて、画像処理部１５４により取得されたコードＩＤおよび入場情報と、自機が設置された駅の識別情報および読取画像ＣＤが翳された時刻を含む出場情報とをセンターサーバ装置３００に送信する。これによって、センターサーバ装置３００における決済処理部３１４は、入場情報に含まれる入場駅の識別情報と、出場情報に含まれる出場駅の識別情報とに基づいて運賃を算出することで、利用者が実際に利用した区間での運賃を請求する。
【００９３】
一方、通過可否判定部１５６は、画像処理部１５４により取得された情報にコードＩＤおよび入場情報の双方が含まれており、且つ現在行っている処理が出場処理でない場合、利用者の通過を禁止する。すなわち、通過可否判定部１５６は、入場処理中に誤って出場用読取画像が翳されたものと判定する。これを受けて、通過制御部１５８は、Ｓ５１２の処理を行って、利用者の通過を防ぐ。これによって、本フローチャートの処理が終了する。
【００９４】
以上説明した第２の実施形態によれば、乗車券購入アプリ３１の入力画面において、読取画像ＣＤの表示に最小限必要な入力項目を入力するための領域のみが設けられ、読取画像ＣＤに含まれる情報から利用者が実際に利用した乗車区間に係る運賃が算出されるため、利用者が事前に乗車区間ごとの運賃を把握しなくとも鉄道を利用することができる。この結果、さらに利用者の利便性を向上させることができる。
【００９５】
（第２の実施形態の変形例）
以下、第２の実施形態の変形例について説明する。第２の実施形態の変形例では、第１の実施形態の変形例と同様に、センターサーバ装置３００が利用者の通過可否の判定を行ってもよい。この場合、センターサーバ装置３００は、通過可否判定部を有する。センターサーバ装置３００における通過可否判定部は、図１７のフローチャートにおいて、画像処理（Ｓ５０２）の結果を自動改札機１００Ａから受信して、Ｓ５０６、Ｓ５１４の処理を行う。この際、センターサーバ装置３００における通過可否判定部は、Ｓ５０６とＳ５０８との間に、利用制限に抵触するか否かを判定してもよい。利用制限とは、予めチャージされた電子マネーの範囲内であること、クレジットカードの限度額以内であることなどである。例えば、駅の窓口などにおいて事前に電子マネーのチャージ額や、クレジットカードの限度額を申請することで、決済用情報データベース３３２には、ユーザＩＤに対して、電子マネーのチャージ額やクレジットカードの限度額などが対応付けられる。
【００９６】
センターサーバ装置３００における通過可否判定部は、Ｓ５０６の判定において肯定的な判定結果（ＹＥＳ判定）を得た場合、決済用情報データベース３３２を参照して、最低料金（例えば一駅分の運賃）分の金額が電子マネーとしてチャージされているか否か、或いは最低料金分の金額を課金した場合にクレジットカードの限度額を超えるか否かを判定する。センターサーバ装置３００における通過可否判定部は、電子マネーのチャージ額が最低料金未満の場合、または最低料金分の金額を課金した場合にクレジットカードの限度額を超える場合には通過を禁止し、他の場合には通過を許可する。
【００９７】
また、センターサーバ装置３００における通過可否判定部は、Ｓ５１４の判定において肯定的な判定結果（ＹＥＳ判定）を得た場合、入場駅から出場駅までの利用区間に係る運賃分の金額が電子マネーとしてチャージされているか否か、或いは運賃分の金額を課金した場合にクレジットカードの限度額を超えるか否かを判定する。センターサーバ装置３００における通過可否判定部は、電子マネーのチャージ額が運賃未満の場合、または運賃分の金額を課金した場合にクレジットカードの限度額を超える場合には通過を禁止し、他の場合には通過を許可する。
【００９８】
（第３の実施形態）
以下、第３の実施形態における鉄道利用管理システム１Ｂについて説明する。第３の実施形態における鉄道利用管理システム１Ｂでは、利用者の特定乗継に対応可能な点で、第１および第２の実施形態と相違する。本実施形態における特定乗継は、第１特定乗継と第２特定乗継を含む。第１特定乗継とは、例えば、鉄道事業者が異なる二つ以上の路線を乗り継ぐ場合において、一度第１の路線の乗車を終えて駅構外に出場し、第２の路線の駅に入場することをいう。第１特定乗継は、「ラッチ外乗車」ともいう。また、第２特定乗継は、他の列車から特急または急行列車に乗り継ぐことをいう。例えば、鉄道事業者によって、上記いずれかの特定乗継の条件を満たしている場合、乗継前の運賃、または乗継後の運賃が割り引かれるサービスが提供されている。そのため、本実施形態では、当サービスに適用するため、読取画像ＣＤから取得した情報に基づいて特定乗継であるか否かを判定する。以下では、係る相違点を中心に説明し、共通する部分についての説明は省略する。
【００９９】
図１８は、第３の実施形態における自動改札機１００Ｂの機能構成の一例を示す図である。自動改札機１００Ｂにおける改札機側制御部１５０Ｂは、上述した通信制御部１５２、画像処理部１５４、通過可否判定部１５６、および通過制御部１５８の他に、第１特定乗継判定部１６０と、第２特定乗継判定部１６２とを備える。
【０１００】
第１特定乗継判定部１６０は、出場用読取画像から取得された情報に基づいて、第１特定乗継か否かを判定する。例えば、第１特定乗継判定部１６０は、乗継前の時点で出場用読取画像が翳された際に生成される出場情報に含まれる駅（第２の出場駅の一例）の識別情報と、乗継後の時点で入場用読取画像が翳された際に生成される入場情報に含まれる駅（第３の入場駅の一例）の識別情報との双方が、第１特定乗継（ラッチ外乗継）が認められた駅の識別情報（特定乗継許可駅の識別情報）と合致する場合、当該出場から入場までの区間は第１特定乗継であると判定する。第１特定乗継判定部１６０により第１特定乗継であると判定された場合、センターサーバ装置３００における決済処理部３１４は、第１特定乗継が行われた利用区間の運賃を割引（乗継割引）する。第１特定乗継が行われた利用区間とは、乗継前の時点で入場用読取画像が翳された入場駅（第１の入場駅の一例）から、乗継後の時点で出場用読取画像が翳された出場駅（第４の出場駅の一例）までの区間である。
【０１０１】
第２特定乗継判定部１６２は、出場用読取画像から取得された情報に基づいて、第２特定乗継か否かを判定する。例えば、第２特定乗継判定部１６２は、出場用読取画像に含まれる効力情報（またはコードＩＤ）と入場用読取画像に含まれる効力情報（またはコードＩＤ）とが同じである場合、出場用読取画像が翳された際に生成される出場情報に含まれる出場時刻と、入場用読取画像が翳された際に生成される入場情報に含まれる入場時刻とを比較して、入場日が出場日と同日または出場日の翌日である場合、第２特定乗継であると判定する。第２特定乗継判定部１６２により第２特定乗継であると判定された場合、センターサーバ装置３００における決済処理部３１４は、第１特定乗継と同様に、第２特定乗継が行われた利用区間の運賃を割引する。なお、第２特定乗継時の運賃の割引額は、第１特定乗継時の運賃の割引額と同じであってもよいし相違していてもよい。
【０１０２】
以下、第３の実施形態における鉄道利用管理システム１Ｂの一連の処理について説明する。図１９および図２０は、第３の実施形態における鉄道利用管理システム１Ｂの処理の流れの一例を示すシーケンス図である。本シーケンスでは、自動改札機１００Ｂとセンターサーバ装置３００との通信を仲介する駅務サーバ装置２００については説明を省略している。また、本シーケンスの処理は、利用者が第１特定乗継を行う場合に行われるものとして説明する。
【０１０３】
まず、端末装置１０は、乗車券購入アプリ３１が起動されると入力画面を表示する（ステップＳ６００）。次に、端末装置１０は、入力画面上において、特定乗継が可能な乗車券の発行要求を確定する操作を受け付けると、画像要求情報および特定乗継の申請要求情報をセンターサーバ装置３００に送信する（ステップＳ６０２）。
【０１０４】
次に、センターサーバ装置３００は、効力情報データベース３３４において、特定乗継の申請を行った利用者のユーザＩＤに対して、特定乗継の申請があったことを示す情報と、特定乗継を行う利用区間とを対応付ける。そして、センターサーバ装置３００は、画像要求情報に対するレスポンスとして、効力情報を含む画像生成情報を端末装置１０に送信する（ステップＳ６０６）。次に、端末装置１０は、効力情報を含む画像生成情報に基づいて入場用読取画像を生成し、当該入場用読取画像を画面に表示する（ステップＳ６０８）。利用者は、入場用読取画像が表示された端末装置１０を自動改札機１００Ｂに翳すことで入場する。
【０１０５】
自動改札機１００Ｂは、入場用読取画像を表示した端末装置１０が翳された場合、端末装置１０から入場用読取画像を読み取り、入場用読取画像から効力情報を取得する（ステップＳ６１０）。次に、自動改札機１００Ｂは、効力情報に基づいて利用者の通過可否を判定する（ステップＳ６１２）。次に、自動改札機１００Ｂは、通過を許可すると、取得した効力情報と、入場用読取画像が翳された時刻（入場時刻）、自機が設置された駅の識別情報（すなわち入場駅の識別情報）などを含む入場情報とをセンターサーバ装置３００に送信する（ステップＳ６１４）。
【０１０６】
次に、センターサーバ装置３００は、自動改札機１００Ｂから受信した入場情報を一レコードとして入場情報データベース３３６に記憶させ（ステップＳ６１６）、自動改札機１００Ｂから受信した入場情報を、端末装置１０に送信する（ステップＳ６１８）。
【０１０７】
端末装置１０は、センターサーバ装置３００から入場情報を受信すると、効力情報と受信した入場情報とに基づいて、出場用読取画像を生成して画面に表示する（ステップＳ６２０）。これによって、利用者は、列車を乗り継ぐために、出場用読取画像が表示された端末装置１０を自動改札機１００Ｂに翳すことでラッチ外（駅構外）に出場することが可能となる。
【０１０８】
自動改札機１００Ｂは、出場用読取画像を表示した端末装置１０が翳された場合、端末装置１０から出場用読取画像を読み取り、出場用読取画像から効力情報と入場情報とを取得する（ステップＳ６２２）。次に、自動改札機１００Ｂは、利用者の通過可否を判定する（ステップＳ６２４）。自動改札機１００Ｂは、通過を許可した場合、取得した入場情報に含まれる入場駅の識別情報と、自機が設置された駅の識別情報（すなわち出場駅の識別情報）とにより利用区間を特定し、運賃テーブル１７２を参照することで、当該利用区間の運賃を算出し、上面表示部１１２、１３２などに運賃を表示する（ステップＳ６２６）。
【０１０９】
次に、自動改札機１００Ｂは、取得した効力情報と、利用区間、運賃、出場用読取画像が翳された時刻（出場時刻）、自機が設置された駅の識別情報などを含む出場情報とをセンターサーバ装置３００に送信する（ステップＳ６２８）。
【０１１０】
次に、センターサーバ装置３００は、受信した出場情報を出場情報データベース３３８に記憶させると共に出場情報に含まれる運賃情報に基づいて運賃の請求額を決定する（ステップＳ６３０）。そして、センターサーバ装置３００は、出場情報に含まれる出場駅の識別情報を参照して、当該出場駅が利用区間内の特定乗継許可駅であるか否かを判定する。センターサーバ装置３００は、出場駅が利用区間内の特定乗継許可駅でない場合、出場情報および運賃情報を端末装置１０に送信する。この場合、端末装置１０は、タッチパネル部に乗車が完了したことを画像や文字で表示させると共に、乗車利用に要した運賃を表示する。これによって、鉄道利用管理システム１Ｂの一連の処理が終了する。
【０１１１】
一方、センターサーバ装置３００は、出場駅が利用区間内の特定乗継許可駅である場合、出場情報および運賃情報と共に、乗継を許可する情報（乗継許可情報）を端末装置１０に送信する（ステップＳ６３２）。端末装置１０は、センターサーバ装置３００から出場情報と共に送られてくる情報に乗継許可情報が含まれていることを確認した場合、効力情報と、センターサーバ装置３００から受信した出場情報および乗継許可情報とに基づいて、入場用読取画像を再生成してタッチパネル部に表示する（ステップＳ６３４）。これによって、利用者は、第２の路線への乗り継ぎ先の改札口の自動改札機１００Ｂに対して、入場用読取画像が表示された端末装置１０を翳すことでラッチ内（駅構内）に再入場することが可能となる。
【０１１２】
自動改札機１００Ｂは、ラッチ内再入場のための入場用読取画像を表示した端末装置１０が翳された場合、端末装置１０から入場用読取画像を読み取り、入場用読取画像から効力情報、出場情報および乗継許可情報を取得して、通過可否の判定を行う（ステップＳ６３８）。以降の説明では、通過可否判定において通過が許可されたものとする。
【０１１３】
次に、自動改札機１００Ｂは、取得した出場情報に含まれる出場時刻および出場駅の識別情報と、入場用読取画像が翳された時刻および自機が設置された駅の識別情報（入場駅の識別情報）と、乗継許可情報とに基づいて、第１特定乗継の判定を行う（ステップＳ６４０）。例えば、出場時刻および入場時刻が同日であり、且つ出場駅および自駅が特定乗継許可駅である場合、第１特定乗継であると判定する。自駅が特定乗継許可駅であることを示す情報は、予め改札機側記憶部１７０に格納されていてよい。また、入場用読取画像から読み取った情報に乗継許可情報が含まれている場合には、出場駅は特定乗継許可駅であるものとして扱われてよい。自動改札機１００Ｂは、第１特定乗継である場合、前回の出場に係る運賃算出処理（前述したＳ６３０）をキャンセルさせるキャンセル情報を入場情報と共にセンターサーバ装置３００に送信する（ステップＳ６４４）。以降のシーケンスの説明では、入場情報と共にキャンセル情報がセンターサーバ装置３００に送信されるものとして説明する。
【０１１４】
次に、センターサーバ装置３００は、自動改札機１００Ｂから受信したキャンセル情報に基づいて、前回出場時の運賃の算出結果を破棄すると共に（ステップＳ６４６）、受信した入場情報を出場情報データベース３３８に記憶させる（ステップＳ６４８）。次に、センターサーバ装置３００は、受信した入場情報を端末装置１０に送信する（ステップＳ６５０）。これを受けて、端末装置１０は、効力情報と、センターサーバ装置３００から受信した入場情報とに基づいて、出場用読取画像を再生成して画面に表示する（ステップＳ６５２）。これによって、利用者は、出場用読取画像が表示された端末装置１０を自動改札機１００Ｂに翳すことでラッチ外に再出場することが可能となる。
【０１１５】
自動改札機１００Ｂは、出場用読取画像を表示した端末装置１０が翳された場合、端末装置１０から出場用読取画像を読み取り、出場用読取画像から効力情報と入場情報とを取得して、通過可否の判定を行う（ステップＳ６５４）。次に、自動改札機１００Ｂは、取得した入場情報に含まれる入場駅の識別情報と、自機が設置された駅の識別情報とにより利用区間を特定し、運賃テーブル１７２を参照することで、当該利用区間の割引運賃を算出する（ステップＳ６５６）。そして、自動改札機１００Ｂは、上面表示部１１２、１３２などに運賃を表示すると共に、利用者の通過を許可する制御を行う（ステップＳ６５８）。
【０１１６】
次に、自動改札機１００Ｂは、出場情報をセンターサーバ装置３００に送信する（ステップＳ６６０）。
【０１１７】
次に、センターサーバ装置３００は、受信した出場情報を一レコードとして出場情報データベース３３８に記憶させると共に、乗継前の入場駅（Ｓ６１４において送信された入場情報に含まれる入場駅の識別情報が示す駅）から乗継後の出場駅（Ｓ６６０において送信された出場情報に含まれる出場駅の識別情報が示す駅）までの区間の運賃を算出し、当該運賃での決済処理を行う（ステップＳ６６２）。そして、センターサーバ装置３００は、算出した運賃に関する運賃情報を含む出場情報を端末装置１０に送信する（ステップＳ６６４）。これを受けて、端末装置１０は、画面に乗車が完了したことを示す画像や文字などを表示すると共に、乗車に要した運賃（割引済みの運賃）を表示する（ステップＳ６６６）。これによって、鉄道利用管理システム１Ｂの一連の処理が終了する。
【０１１８】
図２１は、利用者が第１特定乗継を行う場合の鉄道利用管理システムによる処理の流れを模式的に示す図である。図中に示す処理の符号Ｓ６０２からＳ６６０は、上述した図１９および図２０のフローチャートにおける処理の符号と同一である。
【０１１９】
図示のように、例えば、Ａ駅からＢ（１）駅の路線と、Ｂ（２）駅からＣ駅の路線とが異なる場合、利用者ｘはＢ（１）駅にて一度改札を出て、Ｂ（２）駅にて再度入場する必要がある。この場合、センターサーバ装置３００は、事前に受けた特定乗継の申請要求を基に、Ｂ（１）駅の自動改札機１００Ｂにより送信された出場情報に含まれる出場駅の識別情報を参照して、Ｂ（１）駅が利用区間内の特定乗継許可駅であるか否かを判定する。Ｂ（１）駅が利用区間内の特定乗継許可駅であることから、センターサーバ装置３００は、Ｂ（１）駅での出場情報と共に乗継許可情報を、Ｂ（１）駅を出場した利用者Ｘの端末装置１０ｘに送信する（ステップＳ６３２）。これによって、端末装置１０ｘには、本来であれば出場が完了したことが画像などで表示されるが、これらが表示されずに継続して入場用読取画像が表示されることになる。すわなち、Ｂ（１）駅の自動改札機１００Ｂに出場用読取画像を翳した後、端末装置１０ｘの画面には、入場用読取画像が再度表示される。
【０１２０】
また、上述した例では、第１の実施形態と同様に効力情報を基に各種読取画像ＣＤが表示されるものとして説明したがこれに限られず、第２の実施形態と同様にコードＩＤを基に各種読取画像ＣＤが表示されてもよい。例えば、利用者Ｘは、Ｂ（１）駅の自動改札機１００Ｂに対して、コードＩＤに基づく入場用読取画像を翳して出場した後、特定乗継を行うために、再度端末装置１０ｘを操作して乗車券購入アプリ３１を起動し、乗車券を購入（乗車券の発行要求を確定）するためのボタンＢ１を操作して、端末装置１０ｘからセンターサーバ装置３００に画像要求情報を送信させる。この場合、同端末装置１０ｘから前回受信した画像要求情報の受信時刻を参照して、画像要求情報の受信間隔が閾値未満の場合、今回受信した画像要求情報が、利用者ｘが特定乗継のための操作に起因して送信された画像要求情報であるものと判定する。そして、センターサーバ装置３００は、前回（直近）の出場時の出場情報、すなわち、Ｂ（１）駅の出場情報と乗継許可情報とを端末装置１０ｘに送信する。これによって、端末装置１０ｘの画面には、特定乗継が可能な入場用読取画像が表示されることになる。
【０１２１】
図２２は、第３の実施形態における自動改札機１００Ｂによる処理の流れの一例を示すフローチャートである。本フローチャートの処理は、例えば、入場処理として行われる。また、各種読取画像ＣＤは、効力情報を基に生成されるものとして説明する。
【０１２２】
まず、画像処理部１５４は、読取部１１１（１３１）に入場用読取画像が翳されるまで待機し（ステップＳ７００）、入場用読取画像が翳されると、読取部１１１（１３１）のカメラＣＡＭにより撮像された画像から入場用読取画像を抽出し、抽出した入場用読取画像をデコードして、入場用読取画像に含まれる効力情報および出場情報を取得する（ステップＳ７０２）。
【０１２３】
次に、通過可否判定部１５６は、画像処理部１５４により取得された情報に基づいて、通過可否の判定を行う（ステップＳ７０４）。本フローチャートの処理では、通過可否の判定において通過が許可されるものとして説明する。
【０１２４】
次に、第１特定乗継判定部１６０は、出場情報に含まれる駅の識別情報と、自機が設置された駅の識別情報とが第１特定乗継が認められた駅の識別情報と合致するか否かを判定することで、第１特定乗継であるか否かを判定する（ステップＳ７０６）。
【０１２５】
第２特定乗継判定部１６２は、第１特定乗継判定部１６０により第１特定乗継でないと判定された場合、出場時の効力情報と入場時の効力情報とが同じであるか否か判定すると共に、出場情報に含まれる出場時刻と、入場情報に含まれる入場時刻とを比較して、第２特定乗継であるか否かを判定する（ステップＳ７０８）。
【０１２６】
通信制御部１５２は、第２特定乗継判定部１６２により第２特定乗継でないと判定された場合、入場用読取画像から取得された効力情報と、利用区間、乗継割引が適用されない通常運賃、自機が設置された駅の識別情報、および入場用読取画像が翳された時刻を含む出場情報とを、改札機側通信部１４５を用いてセンターサーバ装置３００に送信する（ステップＳ７１０）。
【０１２７】
一方、通信制御部１５２は、第１特定乗継判定部１６０により第１特定乗継であると判定された場合、または第２特定乗継判定部１６２により第２特定乗継であると判定された場合、利用区間、乗継割引が適用された割引運賃、入場用読取画像から取得された効力情報と、自機が設置された駅の識別情報、および入場用読取画像が翳された時刻を含む出場情報と、キャンセル情報とを、改札機側通信部１４５を用いてセンターサーバ装置３００に送信する（ステップＳ７１２）。これを受けて、センターサーバ装置３００における決済処理部３１４は、効力情報を参照して、当該効力情報のコードＩＤに対応した前回出場時の運賃の算出結果を破棄（消去）し、出場情報に含まれる利用区間および運賃の情報を参照して新たに運賃を算出する。これによって、本フローチャートの処理が終了する。
【０１２８】
図２３は、コードＩＤに対して運賃の算出結果が対応付けられた情報の一例を示す図である。上述した図２１と同様に、Ｂ（１）駅およびＢ（２）駅は特定乗継許可駅であるものとする。この場合、まず、センターサーバ装置３００における決済処理部３１４は、利用者がＢ（１）駅の自動改札機１００Ｂを出場した時点（Ｂ（１）駅の自動改札機１００Ｂから出場情報などを受信した時点）で、Ａ駅からＢ（１）駅までの区間の運賃を算出し、当該運賃を利用者に請求することを決定する。次に、利用者がＢ（２）駅に入場した時点で、Ｂ（２）駅の自動改札機１００Ｂによっていずれかの特定乗継であると判定されると、センターサーバ装置３００における決済処理部３１４は、Ａ駅からＢ（１）駅までの区間における運賃算出結果を破棄する。そして、センターサーバ装置３００における決済処理部３１４は、サーバ側通信部３０５によって出場駅の自動改札機１００Ｂから出場情報を含む各種情報を受信するまで待機し、出場情報を含む各種情報が受信されると、前回の入場駅から今回の出場駅までの区間の運賃を算出する。図示の例では、センターサーバ装置３００における決済処理部３１４は、Ａ駅からＣ駅までの区間の運賃を算出する。なお、上述した例では読取画像ＣＤに効力情報が含まれる場合について説明したがこれに限られず、電子マネーやクレジット決済を利用するためのコードＩＤが読取画像ＣＤに含まれている場合も同様に、決済処理部３１４は、自動改札機１００Ｂによる特定乗継の判定結果に応じて運賃の再計算を行ってよい。
【０１２９】
以上説明した第３の実施形態によれば、上述した第１および第２の実施形態と同様の効果を奏する他、第１特定乗継または第２特定乗継の判定処理を行うことによって、鉄道会社の利用制度に柔軟に対応することができる。この結果、利用者の利便性を向上させることができる。
【０１３０】
（第４の実施形態）
以下、第４の実施形態における鉄道利用管理システム１Ｃについて説明する。第４の実施形態における鉄道利用管理システム１Ｃでは、利用者によって入場用読取画像または出場用読取画像が表示された端末装置１０が自動改札機１００に翳され、通過が許可されると、センターサーバ装置３００が、読取画像ＣＤを非表示にさせる通知（以下、非表示通知情報と称する）を端末装置１０に送信する点で、第１から第３の実施形態と相違する。以下では、係る相違点を中心に説明し、共通する部分についての説明は省略する。
【０１３１】
第４の実施形態におけるセンターサーバ装置のアプリ連携処理部３１２は、サーバ側通信部３０５によって自動改札機１００から入場情報または出場情報が受信された時点で、サーバ側通信部３０５を用いて、端末装置１０に非表示通知情報を送信する。これを受けて、端末装置１０の乗車券購入処理部１４は、タッチパネル部に表示させた読取画像ＣＤを非表示にさせる。これによって、入場用読取画像または出場用読取画像が表示された端末装置１０そのものを利用者が第三者に受け渡すことで行われる不正利用を防止することができる。
【０１３２】
以上説明した少なくとも一つの実施形態によれば、センターサーバ装置３００は、端末装置１０により送信された画像要求情報を受信し、画像要求情報に対するレスポンスとして入場用読取画像の画像生成情報を端末装置１０に送信する。端末装置１０には、画像生成情報に基づく入場用読取画像が表示される。自動改札機１００は、入場用読取画像が表示された端末装置１０が翳されると、入場用読取画像から効力情報を読み取り、読み取った効力情報に基づいて通過可否の判定を行い、通過を許可した場合に読み取った効力情報と共に入場情報をセンターサーバ装置３００に送信する。センターサーバ装置３００は、効力情報および入場情報を含む画像生成情報を、端末装置１０に送信する。端末装置１０は、画像生成情報に基づいて出場用読取画像を表示する。自動改札機１００は、出場用読取画像が表示された端末装置１０が翳されると、出場用読取画像から効力情報および入場情報を読み取り、読み取った情報に基づいて通過可否の判定を行い、通過を許可した場合に読み取った効力情報および入場情報と共に出場情報をセンターサーバ装置３００に送信する。これによって、鉄道利用管理システム１は、端末装置１０と自動改札機１００との間で通信を行わずに、端末装置１０を保有する利用者の入出場の管理を容易に行うことができる。この結果、端末装置１０に自動改札機１００と通信する機能（カードエミュレーション機能）を持たせる必要が無くなり、装置負担の増大を抑制することができる。すなわち、ほとんどの端末装置１０が有している、インターネット等のネットワークにアクセスする機能、および表示機能を用いてシステムを実現することができる。
【０１３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３４】
１…鉄道利用管理システム、１０…端末装置、１１…操作部、１２…表示部、１３…端末側通信部、１４…乗車券購入処理部、３０…端末側記憶部、１００…自動改札機、１１１、１３１…読取部、１４５…改札機側通信部、１５０…改札機側制御部、１５２…通信制御部、１５４…画像処理部、１５６…通過可否判定部、１５８…通過制御部、１７０…改札機側記憶部、２００…駅務サーバ装置、３００…センターサーバ装置、３０５…サーバ側通信部、３１０…サーバ側制御部、３１２…アプリ連携処理部、３１４…決済処理部、３３０…サーバ側記憶部
【図１】
2018022448.tif 000003
【図２】
2018022448.tif 000004
【図３】
2018022448.tif 000005
【図４】
2018022448.tif 000006
【図５】
2018022448.tif 000007
【図６】
2018022448.tif 000008
【図７】
2018022448.tif 000009
【図８】
2018022448.tif 000010
【図９】
2018022448.tif 000011
【図１０】
2018022448.tif 000012
【図１１】
2018022448.tif 000013
【図１２】
2018022448.tif 000014
【図１３】
2018022448.tif 000015
【図１４】
2018022448.tif 000016
【図１５】
2018022448.tif 000017
【図１６】
2018022448.tif 000018
【図１７】
2018022448.tif 000019
【図１８】
2018022448.tif 000020
【図１９】
2018022448.tif 000021
【図２０】
2018022448.tif 000022
【図２１】
2018022448.tif 000023
【図２２】
2018022448.tif 000024
【図２３】
2018022448.tif 000025